(57)【特許請求の範囲】
【請求項１】
第一ケース、第一絶縁体及び第一導電端子を含む第一接続体であって、前記第一ケース内に第一端子収容槽が形成され、前記第一絶縁体が前記第一端子収容槽内に位置し、前記第一絶縁体が前記第一導電端子を囲い、前記第一ケースの外壁に第一階段部が形成された第一接続体と、
第二ケースとＰＣＢ基板を含む第二接続体であって、前記第二ケースに収容孔が形成され、前記ＰＣＢ基板が前記収容孔内に位置し、前記第二ケースの第一端と第二端に係合槽が形成され、前記係合槽と前記収容孔とが互いに連通し、前記ＰＣＢ基板の両端に第一接触片と第二接触片がそれぞれ形成され、前記第一階段部が前記第一端の係合槽内に位置し、前記第一導電端子が前記第一接触片に当接し、かつ前記第一導電端子が第一接触片上を第一方向に摺動可能なように構成される第二接続体と、
第三ケース、第二絶縁体及び第二導電端子を含む第三接続体であって、前記第三ケース内には第二端子収容槽が形成され、前記第二絶縁体は前記第二端子収容槽内に位置し、前記第二絶縁体は前記第二導電端子を囲い、前記第三ケースの外壁には第二階段部が形成され、前記第二階段部は前記第二端の係合槽内に位置し、前記第二導電端子は前記第二接触片上に当接し、かつ前記第二導電端子は前記第二接触片上を第二方向に摺動し、前記第三接続体は前記第二ケース上で第三方向に摺動する第三接続体と、を含み、
第三導電端子、第四導電端子及び第三接触片を更に含み、
前記第一絶縁体は第一部分と第二部分を含み、前記第一部分は前記第二部分に形成された前記第一部分を収納するためのブラインド式槽内に嵌り合い、前記第一導電端子は前記第一部分に囲われ、前記第三導電端子は前記第二部分に囲われ、
前記第二絶縁体は第三部分と第四部分を含み、前記第三部分は前記第四部分に形成された前記第三部分を収納するためのブラインド式槽内に嵌り合い、前記第二導電端子は前記第三部分に囲われ、前記第四導電端子は前記第四部分に囲われ、
前記第三接触片は前記ＰＣＢ基板に設けられ、前記第一接触片、前記第二接触片及び前記第三接触片はいずれも前記ＰＣＢ基板の同一側の主面に設けられ、前記第一接触片と前記第二接触片はいずれも前記第三接触片から所定の距離離れ、前記第三導電端子と前記第四導電端子はいずれも前記第三接触片に当接することを特徴とするコネクタ。
【請求項２】
前記第三接触片の数量は２個であり、２個の前記第三接触片は互いに対応するようにそれぞれ前記ＰＣＢ基板の両側に設けられ、
前記第三導電端子は２個の第一端子ユニットを含み、２個の前記第一端子ユニットは対向するように前記第二部分に設けられ、２個の前記第一端子ユニットは前記ＰＣＢ基板を挟み、２個の前記第一端子ユニットは２個の前記第三接触片上に一対一に当接し、
前記第四導電端子は２個の第二端子ユニットを含み、２個の前記第二端子ユニットは対向するように前記第四部分に設けられ、２個の前記第二端子ユニットは前記ＰＣＢ基板を挟み、２個の前記第二端子ユニットは２個の前記第三接触片に一対一に当接することを特徴とする請求項１に記載のコネクタ。
【請求項３】
前記第一部分、前記第一導電端子、前記第三導電端子及び前記第二部分の数量はいずれも複数個であり、複数個の前記第一部分は複数個の前記第一導電端子を一対一に囲い、複数個の前記第一部分は複数個の前記第二部分に形成された前記第一部分を収納するためのブラインド式槽内に一対一に嵌り合い、複数個の第三導電端子は複数個の前記第二部分に一対一に囲われ、複数個の前記第二部分は前記第一端子収容槽内に配列され、
前記第一接触片の数量は複数個であり、複数個の前記第一接触片は間隔をあいて第一方向に配列され、複数個の前記第一導電端子は複数個の前記第一接触片に一対一に当接し、複数個の前記第三導電端子は複数個の前記第一導電端子と交替するように配列され、複数個の前記第三導電端子はいずれも前記第三接触片に当接し、
前記第三部分、前記第二導電端子、前記第四導電端子及び前記第四部分の数量はいずれも複数個であり、複数個の前記第三部分は複数個の前記第二導電端子を一対一に囲い、複数個の前記第三部分は複数個の前記第四部分に形成された前記第三部分を収納するためのブラインド式槽内に一対一に嵌り合い、複数個の前記第四導電端子は複数個の第四部分に一対一に囲われ、複数個の前記第四部分は前記第二端子収容槽内に配列され、
前記第二接触片の数量は複数個であり、複数個の前記第二接触片は間隔をあいて第一方向に配列され、複数個の前記第二導電端子は複数個の前記第二接触片に一対一に当接し、複数個の前記第四導電端子は複数個の前記第二導電端子と交替するように配列され、複数個の前記第四導電端子はいずれも前記第三接触片に当接することを特徴とする請求項１に記載のコネクタ。
【請求項４】
第一導電片と第二導電片を更に含み、前記第一導電片は第二部分に設けられ、複数個の前記第三導電端子はいずれも前記第一導電片に電気的に接続され、前記第二導電片は前記第四部分に設けられ、複数個の前記第四導電端子はいずれも前記第二導電片に電気的に接続されることを特徴とする請求項３に記載のコネクタ。
【請求項５】
第一遮蔽片と第二遮蔽片を更に含み、
前記第一部分に第一凹槽が形成され、前記第二部分に第二凹槽が形成され、前記第一遮蔽片はそれぞれ前記第一凹槽と前記第二凹槽内に取り付けられ、
前記第三部分に第三凹槽が形成され、前記第四部分に第四凹槽が形成され、前記第二遮蔽片はそれぞれ前記第三凹槽と前記第四凹槽内に取り付けられることを特徴とする請求項１に記載のコネクタ。
【請求項６】
前記第一導電端子が前記第一接触片上を前記第一方向に摺動する距離Ｓは、０．５ｍｍ≦Ｓ≦１ｍｍを満足することを特徴とする請求項１に記載のコネクタ。
【請求項７】
前記収容孔の断面は両端が広く中央部が収縮した形状を有していることを特徴とする請求項１に記載のコネクタ。
【請求項８】
前記第三接続体が前記第二ケース上を前記第三方向に摺動する距離ｄは、０．５ｍｍ≦ｄ≦１ｍｍを満足することを特徴とする請求項１に記載のコネクタ。
【請求項９】
前記第二導電端子が前記第二接触片上を前記第二方向に摺動する距離Ｌは、１．０ｍｍ≦Ｌ≦３ｍｍを満足することを特徴とする請求項１に記載のコネクタ。
【発明の詳細な説明】
【技術分野】
【０００１】
本発明は、電子部品の技術に関し、特にコネクタに関するものである。
【背景技術】
【０００２】
コネクタは通信装置の常用部品である。通常、コネクタの両端はそれぞれ電子部品に接続される。電子部品の構造に偏差があったとき、コネクタと電子部品との間の接続を容易に実施することができない。このとき、電子部品をコネクタ上に接続させても、構造上の偏差によって大きい応力が生じるので、コネクタの電気的性能が影響され、コネクタの許容が悪くなるおそれがある。
【発明の概要】
【発明が解決しようとする課題】
【０００３】
したがって、コネクタの許容が悪い問題を解決することができるコネクタを提供する必要がある。
【課題を解決するための手段】
【０００４】
本発明のコネクタは、
第一ケース、第一絶縁体及び第一導電端子を含む第一接続体であって、前記第一ケース内には第一端子収容槽が形成され、前記第一絶縁体は前記第一端子収容槽内に位置し、前記第一絶縁体は前記第一導電端子を囲い、前記第一ケースの外壁には第一階段部が形成された第一接続体と、
第二ケースとＰＣＢ基板を含む第二接続体であって、前記第二ケースには収容孔が形成され、前記ＰＣＢ基板が前記収容孔内に位置し、前記第二ケースの第一端と第二端には係合槽が形成され、前記係合槽と前記収容孔とが互いに連通し、前記ＰＣＢ基板の両端に第一接触片と第二接触片がそれぞれ形成され、前記第一階段部が前記第一端の係合槽内に位置し、前記第一導電端子が前記第一接触片に当接し、かつ前記第一導電端子が第一接触片上を第一方向に摺動可能なように構成された第二接続体と、
第三ケース、第二絶縁体及び第二導電端子を含む第三接続体であって、前記第三ケース内には第二端子収容槽が形成され、前記第二絶縁体は前記第二端子収容槽内に位置し、前記第二絶縁体は前記第二導電端子を囲い、前記第三ケースの外壁には第二階段部が形成され、前記第二階段部は前記第二端の係合槽内に位置し、前記第二導電端子は前記第二接触片上に当接し、かつ前記第二導電端子は前記第二接触片上で第二方向に摺動し、前記第三接続体は前記第二ケース上を第三方向に摺動可能なように構成された第三接続体と、を含む。
【０００５】
前記コネクタにおいて、第一階段部は第一端の係合槽内に位置し、第一導電端子は第一接触片に当接する。第一導電端子が第一接触片上を第一方向に摺動するとき、第一接続体は第二接続体に対して第一方向に摺動する。第二階段部は第二端の係合槽内に位置し、第二導電端子は第二接触片に当接する。第二導電端子は第二接触片上を第二方向に摺動するとき、第三接続体は第二接続体に対して第二方向に摺動する。第三接続体は第二ケース上を第三方向に摺動することができる。コネクタの両端に接続される電子部品は互いに垂直の３つの方向に摺動することができるので、コネクタの両端の電子部品が構造上の偏差を有しているとき、電子部品の構造上の偏差によりコネクタと電子部品との間の接続を容易に実施できないという問題を解決し、コネクタの許容範囲を向上させることができる。
【０００６】
本発明の一実施例において、コネクタは、第三導電端子、第四導電端子及び第三接触片を更に含み、
前記第一絶縁体は第一部分と第二部分を含み、前記第一部分は前記第二部分と嵌り合い、前記第一導電端子は前記第一部分に囲われ、前記第三導電端子は前記第二部分に囲われ、
前記第二絶縁体は第三部分と第四部分を含み、前記第三部分は前記第四部分と嵌り合い、前記第二導電端子は前記第三部分に囲われ、前記第四導電端子は前記第四部分に囲われ、
前記第三接触片は前記ＰＣＢ基板に設けられ、前記第一接触片、前記第二接触片及び前記第三接触片はいずれも前記ＰＣＢ基板の同一側の主面に設けられ、前記第一接触片と前記第二接触片はいずれも前記第三接触片から所定の距離離れ、前記第三導電端子と前記第四導電端子はいずれも前記第三接触片に当接する。
【０００７】
本発明の一実施例において、前記第三接触片の数量は２個であり、２個の前記第三接触片は互いに対応するようにそれぞれ前記ＰＣＢ基板の両側に設けられ、
前記第三導電端子は２個の第一端子ユニットを含み、２個の前記第一端子ユニットは対向するように前記第二部分に設けられ、２個の前記第一端子ユニットは前記ＰＣＢ基板を挟み、２個の前記第一端子ユニットは２個の前記第三接触片上に一対一に当接し、
前記第四導電端子は２個の第二端子ユニットを含み、２個の前記第二端子ユニットは対向するように前記第四部分上に設けられ、２個の前記第二端子ユニットは前記ＰＣＢ基板を挟み、２個の前記第二端子ユニットは２個の前記第三接触片に一対一に当接する。２個の第一端子ユニットと２個の第二端子ユニットでＰＣＢ基板を同時挟むことにより、第三接続体が第二ケースの厚さ方向に平行な方向に摺動するとき、第三導電端子及び第四導電端子がいずれもＰＣＢ基板の第三接触片と安定に当接することを確保し、信号の伝送を確保することができる。
【０００８】
本発明の一実施例において、前記第一部分、前記第一導電端子、前記第三導電端子及び前記第二部分の数量はいずれも複数個であり、複数個の前記第一部分は複数個の前記第一導電端子を一対一に囲い、複数個の前記第一部分は複数個の前記第二部分と一対一に嵌り合い、複数個の第三導電端子は複数個の前記第二部分に一対一に囲われ、複数個の前記第二部分は前記第一端子収容槽内に配列され、
前記第一接触片の数量は複数個であり、複数個の前記第一接触片は間隔をあいて第一方向に配列され、複数個の前記第一導電端子は複数個の前記第一接触片に一対一に当接し、複数個の前記第三導電端子は複数個の前記第一導電端子と交替するように配列され、複数個の前記第三導電端子はいずれも前記第三接触片に当接し、
前記第三部分、前記第二導電端子、前記第四導電端子及び前記第四部分の数量はいずれも複数個であり、複数個の前記第三部分は複数個の前記第二導電端子を一対一に囲われ、複数個の前記第三部分は複数個の前記第四部分と一対一に嵌り合い、複数個の前記第四導電端子は複数個の第四部分に一対一に囲われ、複数個の前記第四部分は前記第二端子収容槽内に配列され、
前記第二接触片の数量は複数個であり、複数個の前記第二接触片は間隔をあいて第一方向に配列され、複数個の前記第二導電端子は複数個の前記第二接触片に一対一に当接し、複数個の前記第四導電端子は複数個の前記第二導電端子と交替するように配列され、複数個の前記第四導電端子はいずれも前記第三接触片に当接する。これにより、コネクタは複数の回路で信号を伝送し、コネクタの信号伝送の効率を向上させることができる。
【０００９】
本発明の一実施例において、コネクタは第一導電片と第二導電片を更に含み、前記第一導電片は第二部分に設けられ、複数個の前記第三導電端子はいずれも前記第一導電片に電気的に接続され、前記第二導電片は前記第四部分に設けられ、複数個の前記第四導電端子はいずれも前記第二導電片に電気的に接続される。
【００１０】
本発明の一実施例において、コネクタは第一遮蔽片と第二遮蔽片を更に含み、
前記第一部分に第一凹槽が形成され、前記第二部分に第二凹槽が形成され、前記第一遮蔽片はそれぞれ前記第一凹槽と前記第二凹槽内に取り付けられ、
前記第三部分に第三凹槽が形成され、前記第四部分に第四凹槽が形成され、前記第二遮蔽片はそれぞれ前記第三凹槽と前記第四凹槽内に取り付けられる。これにより信号伝送の安定性を確保することができる。
【００１１】
本発明の一実施例において、前記第一導電端子が前記第一接触片上を前記第一方向に摺動する距離Ｓは、０．５ｍｍ≦Ｓ≦１ｍｍを満足する。
【００１２】
本発明の一実施例において、前記収容孔の断面は両端が広く中央部が収縮した形状を有していることにより、ＰＣＢ基板の両端に一定の撓みが発生することを許容できる。
【００１３】
本発明の一実施例において、前記第三接続体が前記第二ケース上を前記第三方向に摺動する距離ｄは、０．５ｍｍ≦ｄ≦１ｍｍを満足する。
【００１４】
本発明の一実施例において、前記第二導電端子が前記第二接触片上を前記第二方向に摺動する距離Ｌは、１．０ｍｍ≦Ｌ≦３ｍｍである。
【図面の簡単な説明】
【００１５】
【図１】本発明の一実施例に係るコネクタの斜視図である。
【図２】図１のコネクタを示す分解図である。
【図３】図１のコネクタを示す断面図である。
【図４】図１のコネクタを示す他の斜視図である（第一ケース、第二ケース及び第三ケースを含まない）。
【図５】図４のコネクタを示す分解図である。
【図６】図１のコネクタの第一接続体を示す分解図である。
【図７】図１のコネクタの第三接続体を示す分解図である。
【図８】図１のコネクタの第二接続体を示す分解図である。
【発明を実施するための形態】
【００１６】
本発明を容易に理解してもらうため、以下、図面を参照しながら本発明のコネクタについてより詳細に説明する。図面に本発明のコネクタの好適な実施例がかかれているが、本発明のコネクタは、様々な実施例によって実現することができ、本文の実施例にのみ限定されるものでない。下記実施例を提供する目的は本発明のコネクタの技術的事項をより詳細に説明するためである。
【００１７】
特別な説明がないかぎり、本文に記載されている技術的用語と科学的用語は当業者が常用する用語の意味を示すものとする。本発明の明細書に記載されている用語は本発明の具体的な実施例を説明するためのものであり、本発明を限定する意図はない。本発明中の「及び／或いは」と言う用語は、一個または複数個が配列されている事項のあらゆる組合せを意味する。
【００１８】
図１に示すとおり、本発明の実施例に係るコネクタ１０は許容変化可能なロック型コネクタである。図２に示すとおり、コネクタ１０は、第一接続体１００、第二接続体２００及び第三接続体３００を含む。第一接続体１００は、第一ケース１１０、第一絶縁体１２０及び第一導電端子１３０を含む。第一ケース１１０内には第一端子収容槽１１２が形成され、第一絶縁体１２０は第一端子収容槽１１２内に位置し、第一絶縁体１２０は第一導電端子１３０を囲う。第一ケース１１０の外壁には第一階段部１１４が形成されている。第二接続体２００は第二ケース２１０とＰＣＢ基板２２０を含み、第二ケース２１０に収容孔２１２が形成され、ＰＣＢ基板２２０は収容孔２１２内に位置する。第二ケース２１０の第一端と第二端にはそれぞれ係合槽２１４，２１４が形成され、係合槽２１４と収容孔２１２は連通している。図４、図５に示すとおり、ＰＣＢ基板２２０の両端には第一接触片２２２と第二接触片２２４がそれぞれ形成されている。図３を参照すると、第一階段部１１４は第一端の係合槽２１４内に位置している。図４に示すとおり、第一導電端子１３０は第一接触片２２２に当接し、かつ第一導電端子１３０は第一接触片２２２上を第一方向に摺動することができる。
【００１９】
図３に示すとおり、第三接続体３００は、第三ケース３１０、第二絶縁体３２０及び第二導電端子３３０を含む。第三ケース３１０内に第二端子収容槽３１２が形成され、第二絶縁体３２０は第二端子収容槽３１２内に位置し、第二絶縁体３２０は第二導電端子３３０を囲う。第三ケース３１０の外壁に第二階段部３１４が形成されている。第二階段部３１４は第二端の係合槽２１４内に位置している。図４を参照すると、第二導電端子３３０は第二接触片２２４に当接し、かつ第二導電端子３３０は第二接触片２２４上を第二方向に摺動することができる。第三接続体３００は第二ケース２１０上を第三方向に摺動することができる。図２に示すとおり、本実施例において、第一接続体１００の一端は第一電子部品（図示せず）に接続され、他端は第二接続体２００に接続される。第三接続体３００の一端は第二接続体２００に接続され、他端は第二電子部品（図示せず）に接続される。第一接続体１００は固着接続部品であり、第二接続体２００は中間接続部品であり、第三接続体３００は摺動接続部品である。第一ケース１１０、第二ケース２１０及び第三ケース３１０はいずれも長方形である。図３に示すとおり、第二ケース２１０と接続される第一ケース１１０の外側には第一階段部１１４が形成され、第二ケース２１０と接続される第三ケース３１０の外側には第二階段部３１４が形成されている。第二ケース２１０の第一端と第二端に係合槽２１４，２１４が形成され、第一階段部１１４は第一端側の係合槽２１４内に位置し、第二階段部３１４は第二端側の係合槽２１４内に位置している。第二ケース２１０にはＰＣＢ基板２２０を収納する収容孔２１２が形成されている。収容孔２１２は第二ケース２１０の両端の係合槽２１４，２１４とそれぞれ連通している。
【００２０】
図５に示すとおり、ＰＣＢ基板２２０は薄い平板である。ＰＣＢ基板２２０の第一端の表面には第一接触片２２２が形成され、第二端の表面には第二接触片２２４が形成されている。第一接触片２２２の幅は第二接触片２２４の幅より広く、第一接触片２２２の長さは第二接触片２２４の長さより短い。図４に示すとおり、第一導電端子１３０と第二導電端子３３０はいずれも信号端子であり、第一導電端子１３０は第一接触片２２２に当接し、第二導電端子３３０は第二接触片２２４に当接する。ＰＣＢ基板２２０の表面は平面であり、ＰＣＢ基板２２０の第一辺から第二辺に向く方向を第二方向、すなわちＺ軸方向とする。ＰＣＢ基板２２０の第一辺に平行である方向を第一方向、すなわちＸ軸方向とする。ＰＣＢ基板２２０の表面に垂直する方向を第三方向、すなわちＹ軸方向とする。第一接触片２２２はＸ軸方向に平行な方向に延伸し、第二接触片２２４はＺ軸方向に平行な方向に延伸する。第一導電端子１３０がＸ軸方向に平行な方向に摺動することにより、第二接続体２００は第一接続体１００に対してＸ軸方向に摺動することができる。第二導電端子３３０がＺ軸方向に平行な方向に摺動することにより、第三接続体３００は第二接続体２００に対してＺ軸方向に摺動することができる。また、第三接続体３００は第二ケース２１０上を第三方向に摺動することができる。すなわち、第三接続体３００は第二接続体２００に対してＹ軸方向に摺動することができる。具体的に、本実施例において、第一方向、第二方向及び第三方向のうちいずれか２つの方向は互いに垂直である。
【００２１】
本実施例のコネクタ１０において、第一階段部１１４は第一端側の係合槽２１４内に位置し、第一導電端子１３０は第一接触片２２２に当接する。第一導電端子１３０が第一接触片２２２上を第一方向に摺動するとき、第一接続体１００は第二接続体２００に対して第一方向に摺動する。第二階段部３１４は第二端側の係合槽２１４内に位置し、第二導電端子３３０は第二接触片２２４に当接する。第二導電端子３３０が第二接触片２２４上で第二方向に摺動するとき、第三接続体３００は第二接続体２００に対して第二方向に摺動する。第三接続体３００は第二ケース２１０上を第三方向に摺動することができる。コネクタ１０の両端に接続された電子部品は互いに垂直の３つの方向に摺動することができるので、コネクタ１０の両端の電子部品に構造上の偏差があっても、電子部品の構造上の偏差によりコネクタ１０と電子部品との間の接続を容易に実施できない問題を解決し、コネクタ１０の許容範囲を向上させることができる。
【００２２】
図５に示すとおり、本発明の一実施例において、コネクタ１０は、第三導電端子４００、第四導電端子５００及び第三接触片６００を更に含む。図６に示すとおり、第一絶縁体１２０は第一部分１２２と第二部分１２４とを含み、第一部分１２２は第二部分１２４と嵌り合い、第一導電端子１３０は第一部分１２２に囲われる。第三導電端子４００は第二部分１２４に囲われる。図７に示すとおり、第二絶縁体３２０は第三部分３２２と第四部分３２４を含み、第三部分３２２は第四部分３２４と嵌り合い、第二導電端子３３０は第三部分３２２に囲われ、第四導電端子５００は第四部分３２４に囲われる。図８に示すとおり、第三接触片６００はＰＣＢ基板２２０に設けられ、第一接触片２２２、第二接触片２２４及び第三接触片６００はいずれも、ＰＣＢ基板２２０の同一側の主面に設けられている。図５を参照すると、第一接触片２２２と第二接触片２２４はいずれも、第三接触片６００から所定の距離離れている。図４を参照すると、第三導電端子４００と第四導電端子５００はいずれも、第三接触片６００に当接する。本実施例において、図６に示すとおり、第一導電端子１３０と第一部分１２２は一体に成型され、第三導電端子４００と第二部分１２４は一体に成型されている。図７に示すとおり、第二導電端子３３０と第三部分３２２は一体に成型され、第四導電端子５００と第四部分３２４は一体に成型される。
【００２３】
図５に示すとおり、本発明の一実施例において、第三接触片６００の数量は２個であり、２個の第三接触片６００は対応するようにそれぞれＰＣＢ基板２２０の両側に設けられる。第三導電端子４００は２個の第一端子ユニット４１０を含み、２個の第一端子ユニット４１０は対向するように第二部分１２４上に設けられ、２個の第一端子ユニット４１０はＰＣＢ基板２２０を挟み、かつ２個の第一端子ユニット４１０は２個の第三接触片６００にそれぞれ当接する。第四導電端子５００は２個の第二端子ユニット５１０を含み、２個の第二端子ユニット５１０は対向するように第四部分３２４上に設けられ、２個の第二端子ユニット５１０はＰＣＢ基板２２０を挟み、かつ２個の第二端子ユニット５１０は２個の第三接触片６００にそれぞれ当接する。２個の第一端子ユニット４１０と２個の第二端子ユニット５１０がともにＰＣＢ基板２２０を挟むことにより、第三接続体３００が第二ケース２１０の厚さ方向に平行な方向に摺動するとき、第三導電端子４００及び第四導電端子５００がいずれもＰＣＢ基板２２０の第三接触片６００と安定に当接することが確保され、信号の閉回路伝送が確保できる。
【００２４】
本実施例において、第三導電端子４００と第四導電端子５００はいずれも接地端子であり、図６に示すとおり、第三導電端子４００は２個の第一端子ユニット４１０を含む。図７に示すとおり、第四導電端子５００は２個の第二端子ユニット５１０を含む。各第一端子ユニット４１０と各第二端子ユニット５１０はいずれも固定部と当接部を含む。図６に示すとおり、第二部分１２４は長方形であり、第二部分１２４に第一部分１２２を収納するためのブラインド式槽が形成されている。２個の第一端子ユニット４１０は互いに対向するように第二部分１２４の頂部と底部に設けられ、２個の第一端子ユニット４１０の固定部はいずれも第二部分１２４と一体に成型され、２個の第一端子ユニット４１０の当接部はいずれも湾曲状に形成されている。２個の第一端子ユニット４１０の当接部がそれぞれＰＣＢ基板２２０の両側に当接することにより、２個の第一端子ユニット４１０はＰＣＢ基板２２０を挟み、かつ２個の第一端子ユニット４１０はそれぞれＰＣＢ基板２２０の両側の第三接触片６００に当接する。図７に示すとおり、第四部分３２４は長方形であり、第四部分３２４には第三部分３２２を収納するためのブラインド式槽が形成されている。２個の第二端子ユニット５１０は互いに対向するように第四部分３２４の頂部と底部に設けられ、２個の第二端子ユニット５１０の固定部はいずれも第四部分３２４と一体に成型され、２個の第二端子ユニット５１０の当接部はいずれも湾曲状に形成されている。２個の第二端子ユニット５１０の当接部がそれぞれＰＣＢ基板２２０の両側に当接することにより、２個の第二端子ユニット５１０はＰＣＢ基板２２０を挟み、かつ２個の第二端子ユニット５１０はそれぞれＰＣＢ基板２２０の両側の第三接触片６００に確実に当接する。これにより、第三導電端子４００と第四導電端子５００はいずれも第三接触片６００と確実に当接できる。図５に示すとおり、ＰＣＢ基板２２０の第一側主面に第一接触片２２２、第二接触片２２４及び１個の第三接触片６００が設けられ、第二側主面には他の一個の第三接触片６００が設けられている。第三接触片６００の表面には複数のビアホール６１０が形成されている。
【００２５】
図６に示すとおり、本発明の一実施例において、第一部分１２２、第一導電端子１３０、第三導電端子４００及び第二部分１２４の数量はいずれも複数個である。複数個の第一部分１２２は複数個の第一導電端子１３０を一対一に囲い、複数個の第一部分１２２は複数個の第二部分１２４と一対一に嵌り合い。複数個の第三導電端子４００は複数個の第二部分１２４に一対一に囲われ、複数個の第二部分１２４は第一端子収容槽１１２内に配列されている。第一接触片２２２の数量は複数個であり、複数個の第一接触片２２２は間隔をあいて第一方向に配列され、複数個の第一導電端子１３０は複数個の第一接触片２２２に一対一に当接する。複数個の第三導電端子４００は複数個の第一導電端子１３０と交替するように配列され、いずれも第三接触片６００に当接する。図７に示すとおり、第三部分３２２、第二導電端子３３０、第四導電端子５００及び第四部分３２４の数量はいずれも複数個である。複数個の第三部分３２２は複数個の第二導電端子３３０を一対一に囲い、複数個の第三部分３２２は複数個の第四部分３２４と一対一に嵌り合い、複数個の第四導電端子５００は複数個の第三部分３２２に一対一に囲われ、複数個の第四部分３２４は第二端子収容槽３１２内に配列される。第二接触片２２４の数量は複数個であり、複数個の第二接触片２２４は間隔をあいて第一方向に配列され、複数個の第二導電端子３３０は複数個の第二接触片２２４に一対一に当接する。複数個の第四導電端子５００は複数個の第二導電端子３３０と交替するように配列され、いずれも第三接触片６００に当接する。これにより、コネクタ１０は複数の信号を伝送でき、コネクタ１０の信号伝送の効率を向上させることができる。
【００２６】
図６に示すとおり、本実施例において、第一ケース１１０には第二ケース２１０の端部と平行な方向に設けられた第一端子収容槽１１２が形成されている。第一部分１２２と第二部分１２４の数量は複数個であり、複数個の第二部分１２４は二列に配列されるとともに第一端子収容槽１１２内に取り付けられる。複数個の第一部分１２２は複数個の第二部分１２４と一対一に嵌り合って取り付けられ、複数個の第一部分１２２は複数個の第一導電端子１３０を一対一に囲い、複数個の第二部分１２４は複数個の第三導電端子４００を一対一に囲い、複数個の第一導電端子１３０は複数個の第一接触片２２２に一対一に当接し、複数個の第三導電端子４００はいずれも第三接触片６００に当接する。他の実施例において、複数個の第二部分１２４は一列または三列以上に配列されるとともに第一端子収容槽１１２内に取り付けられるようにしてもよい。
【００２７】
図７に示すとおり、第三ケース３１０には第二ケース２１０の端部と平行な方向に設けられた第二端子収容槽３１２が形成されている。第三部分３２２と第四部分３２４の数量はいずれも複数個であり、複数個の第四部分３２４は二列に配列されるとともに第二端子収容槽３１２内に取り付けられる。複数個の第三部分３２２は複数個の第四部分３２４と一対一に嵌り合って取り付けられ、複数個の第三部分３２２は複数個の第二端子収容槽３１２を一対一に囲い、複数個の第四部分３２４は複数個の第四導電端子５００を一対一に囲い、複数個の第二導電端子３３０は複数個の第二接触片２２４に一対一に当接し、複数個の第三導電端子５００はいずれも第三接触片６００に当接する。他の実施例において、複数個の第三部分３２２は一列または三列以上に配列されるとともに第二端子収容槽３１２内に取り付けられるようにしてもよい。本実施例において、第一端子収容槽１１２、第二端子収容槽３１２、収容孔２１２及びＰＣＢ基板２２０（例えば図８を参照）の数量は２個であり、２個の第一端子収容槽１１２は第一ケース１１０に並列に配置され、２個の第二端子収容槽３１２は第二ケース２１０に並列に配置されている。図３を参照すると、２個の収容孔２１２はいずれも係合槽２１４と連通し、２個のＰＣＢ基板２２０は２個の収容孔２１２内に一対一に収納され、かつ２個のＰＣＢ基板２２０は互いに対向するように設けられている。他の実施例において、第一端子収容槽１１２、第二端子収容槽３１２、収容孔２１２及びＰＣＢ基板２２０の数量は何れも１個または３個以上であってもよいことは無論である。
【００２８】
図３に示すとおり、本発明の一実施例において、コネクタ１０は第一導電片７００と第二導電片８００を更に含む。図６に示すとおり、第一導電片７００は第二部分１２４に設けられ、複数個の第三導電端子４００はいずれも第一導電片７００に電気的に接続されている。図７に示すとおり、第二導電片８００は第四部分３２４に設けられ、複数個の第四導電端子５００はいずれも第二導電片８００に電気的に接続されている。本実施例において、図３を参照すると、第一導電片７００を第二部分１２４の表面に貼り付けることにより、複数個の第三導電端子４００のいずれも第一導電片７００と電気的に接続されるようにし、各第三導電端子４００の良好な接地を確保することができる。第二導電片８００を第四部分３２４の表面に貼り付けることにより、複数個の第四導電端子５００のいずれも第二導電片８００と電気的に接続されるようにし、各第四導電端子５００の良好な接地を確保することができる。本発明の一実施例において、コネクタ１０は第一遮蔽片９００と第二遮蔽片１１００を更に含む。図６に示すとおり、第一部分１２２に第一凹槽１２２２が形成され、第二部分１２４に第二凹槽１２４２が形成されており、第一遮蔽片９００はそれぞれ第一凹槽１２２２と第二凹槽１２４２内に取り付けられる。図７に示すとおり、第三部分３２２に第三凹槽３２２２が形成され、第四部分３２４に第四凹槽３２４２が形成されており、第二遮蔽片１１００はそれぞれ第三凹槽３２２２と第四凹槽３２４２内に取り付けられる。これにより信号伝送の安定性を確保することができる。
【００２９】
本発明の一実施例において、第一導電端子１３０が第一接触片２２２上を第一方向に摺動する距離Sは、０．５ｍｍ≦Ｓ≦１ｍｍを満足する。本実施例において、第一導電端子１３０が第一接触片２２２上を第一方向に摺動する距離は、第一導電端子１３０がＸ軸方向に平行な方向に摺動する距離、すなわち第二接続体２００が第一接続体１００に対してＸ軸方向に摺動する距離と等しい。具体的な本実施例において、第二接続体２００が第一接続体１００に対してＸ軸方向に摺動可能な距離は０．７ｍｍである。すなわち、第二接続体２００が第一接続体１００に対して左右両側へ摺動できる距離はいずれも０．７ｍｍである。したがって、コネクタ１０の両端に接続される電子部品はＸ軸方向の０．７ｍｍの位置誤差が許される。
【００３０】
本発明の一実施例において、収容孔２１２の断面は両端が広く中央部が収縮した形状を有していることにより、ＰＣＢ基板２２０の両端に一定の撓みが発生することを許容することができる。本発明の一実施例において、第三接続体３００が第二ケース２１０上を第三方向に摺動する距離ｄは、０．５ｍｍ≦ｄ≦１ｍｍを満足する。本実施例において、第三接続体３００が第二接続体２００に対してＹ軸方向に摺動する距離は、第三接続体３００が第二ケース２１０上を第三方向に摺動する距離と等しい。具体的な本実施例において、第三接続体３００が第二接続体２００に対してＹ軸方向に摺動可能な距離は０．７ｍｍである。すなわち第三接続体３００が第二接続体２００に対して上下両側へ摺動できる距離はいずれも０．７ｍｍである。したがって、コネクタ１０の両端に接続される電子部品はＹ軸方向の０．７ｍｍの位置誤差が許される。
【００３１】
本発明の一実施例において、第二導電端子３３０が第二接触片２２４上を第二方向に摺動する距離Lは、１．０ｍｍ≦Ｌ≦３ｍｍを満足する。本実施例において、第二導電端子３３０がＺ軸方向に平行な方向に摺動する距離は、第二導電端子３３０が第二接触片２２４上を第二方向に摺動する距離、すなわち第三接続体３００が第二接続体２００に対してＺ軸方向に摺動する距離と等しい。具体的な本実施例において、第三接続体３００が第二接続体２００に対してＺ軸方向に摺動可能な距離は２．０ｍｍである。すなわち、第三接続体３００が第二接続体２００の端面に近づく方向或いは離れる方向に摺動できる距離は２．０ｍｍである。したがって、コネクタ１０の両端に接続される電子部品はＺ軸方向の２．０ｍｍの位置誤差が許される。
【００３２】
上述した実施例の各技術的特徴は任意に組合せることができるが、説明を簡素化するため、上述した実施例の各技術的特徴のすべての組合せを説明したわけではない。各技術的特徴の組合せに矛盾が生じない限り、どんな組合せであっても本発明の保護範囲に含まれることは当然である。
【００３３】
上述した複数の実施例により本発明の好適な実施例を詳述してきたが、本発明の構成は前記実施例にのみ限定されるものでない。本技術分野の当業者は本発明の要旨を逸脱しない範囲内で設計の変換等を行うことができ、このような設計の変更等があっても本発明の保護範囲に含まれることは勿論である。本発明の保護範囲は特許請求の範囲が定めたものを基準とする。
【図１】
0006498681.tif 000002
【図２】
0006498681.tif 000003
【図３】
0006498681.tif 000004
【図４】
0006498681.tif 000005
【図５】
0006498681.tif 000006
【図６】
0006498681.tif 000007
【図７】
0006498681.tif 000008
【図８】
0006498681.tif 000009